(57)【要約】【課題】間接活線工具を用いて間接活線作業を行う際の作業者の負担を軽減可能な間接活線工具支持具を提供すること。【解決手段】ホットスティック支持具１０は、電柱に架設された電線２に対して間接活線作業を行う際に使用され、当該間接活線作業に応じた先端工具２０ａを取り付け可能な絶縁操作棒２１を有するホットスティック（間接活線工具）２０を支持するものである。ホットスティック支持具１０は、作業者Ｗの身体の一部に装着される身体装着部３０と、絶縁操作棒２１の軸方向中間部の近傍に装着される棒装着部５０と、身体装着部３０と棒装着部５０とを連結する連結部４０と、上方に開口する凹部を有して身体装着部３０に設けられ、絶縁操作棒２１の基端部２１ａを収容して支持するポケット部３３と、を備える。【選択図】図５
2010246226.tif 000002
【特許請求の範囲】
【請求項１】
電柱に架設された電線に対して間接活線作業を行う際に使用され、当該間接活線作業に応じた先端工具を取り付け可能な絶縁操作棒を有する間接活線工具を支持する間接活線工具支持具であって、
作業者の身体の一部に装着される身体装着部と、
前記絶縁操作棒の軸方向中間部の近傍に装着される棒装着部と、
前記身体装着部と前記棒装着部とを連結する連結部と、
上方に開口する凹部を有して前記身体装着部に設けられ、前記絶縁操作棒の基端部を収容して支持する棒支持部と、
を備えることを特徴とする間接活線工具支持具。
【請求項２】
電柱に架設された電線に対して間接活線作業を行う際に使用され、当該間接活線作業に応じた先端工具を取り付け可能な絶縁操作棒を有する間接活線工具を支持する間接活線工具支持具であって、
作業者の身体の一部に装着される身体装着部と、
前記身体装着部における前記作業者の腹部に対応する位置から前方に突設された支持アーム部と、
上方に開口する凹部を有して前記支持アーム部の先端に設けられ、前記絶縁操作棒の基端部を収容して支持する棒支持部と、
を備えることを特徴とする間接活線工具支持具。
【請求項３】
電柱に架設された電線に対して間接活線作業を行う際に使用され、当該間接活線作業に応じた先端工具を取り付け可能な絶縁操作棒を有する間接活線工具を支持する間接活線工具支持具であって、
作業者の身体の一部に装着される身体装着部と、
上方に開口する凹部を有して前記身体装着部に設けられ、前記絶縁操作棒の基端部を収容して支持する棒支持部と、
前記基端部として前記絶縁操作棒の本体部に対して屈曲自在に延設され緩衝部材からなる当接圧力緩和部と、
を備えることを特徴とする間接活線工具支持具。
【請求項４】
電柱に架設された電線に対して間接活線作業を行う際に使用され、当該間接活線作業に応じた先端工具を取り付け可能な絶縁操作棒を有する間接活線工具を支持する間接活線工具支持具であって、
弾性部材からなり作業者の腹部又はその近傍に当接可能に板状に形成された身体当接部と、
前記身体当接部に設けられ、前記絶縁操作棒の基端部に接続される接続部と、
を備えることを特徴とする間接活線工具支持具。
【請求項５】
電柱に架設された電線に対して間接活線作業を行う際に使用され、当該間接活線作業に応じた先端工具を取り付け可能な絶縁操作棒を有する間接活線工具を支持する間接活線工具支持具であって、
作業者の肩部から腰部にかけて襷掛けされる身体装着部と、
上方に開口する凹部を有して前記作業者の体側部に対応する前記身体装着部に設けられ、前記絶縁操作棒の基端部を収容して支持する棒支持部と、
を備えることを特徴とする間接活線工具支持具。
【発明の詳細な説明】
【技術分野】
【０００１】
本発明は、間接活線工具を支持する間接活線工具支持具に関する。
【背景技術】
【０００２】
従来より、電柱間に架設された電線の配電工事等を行う際には、電線に電気を通電させたまま、つまり無停電の状態で作業が行われる。そして、このような活線作業には、絶縁衣や絶縁手袋等の絶縁保護具を着用した作業者が通電中の電線に直接触れて作業を行う直接活線工法と、間接活線工具を使用して、作業者が通電中の電線に直接触れることなく作業を行う間接活線工法の二通りがある。
【０００３】
しかしながら、直接活線工法は、感電等を防止するために大掛かりな絶縁保護具を着用して作業を行うため、間接活線工法よりも作業効率が低下すると共に、作業者が通電中の電線に直接触れて作業を行うため、作業者が不慮の感電をするおそれがある。そのため、近年においては、作業効率の向上や作業環境の改善等の観点から、間接活線工具を使用した間接活線工法が主流となってきている。
【０００４】
ところで、上述の間接活線工法においては、ホットスティックのような間接活線工具を用いて作業が行われる。ホットスティックは、例えば、駆動ユニット及び駆動ユニットを操作可能な操作部を備えた棒状の絶縁操作棒と、絶縁操作棒の先端に設けられ、駆動ユニットに接続されると共に、作業内容により交換可能に構成された先端工具と、を備えて構成されている。操作部は、電気的に絶縁された絶縁操作棒の基端部に設けられており、当該基端部には、作業者が把持可能な取手部が設けられている。作業者は、一方の手で取手部を把持し、他方の手で操作部を操作して間接活線作業を行う（例えば、特許文献１参照）。
【先行技術文献】
【特許文献】
【０００５】
【特許文献１】特開平７−２２２３１７号公報
【発明の概要】
【発明が解決しようとする課題】
【０００６】
しかしながら、特許文献１に記載のホットスティックを使用して間接活線作業を行う場合、作業者は、一方の手でホットスティックを支え、他方の手でホットスティックを操作しながら作業を行う。つまり、作業者は、片手でホットスティックを支持しながら作業を行っていた。そのため、作業者の一方の手にホットスティックの荷重が集中してしまい、作業者は、一方の手が直ぐに疲れるという問題があった。そして、このことは、間接活線工法において作業効率を低下させる要因の１つとなっていた。
【０００７】
これに対しては、例えば、高所作業車の作業台（バケット）にホットスティックを保持する保持装置を設け、この保持装置にホットスティックを保持させた状態で作業者が作業を行うことにより、作業者の一方の手に係る負担を軽減することが可能となる。
【０００８】
しかしながら、高所作業車での作業は、平地等の駐車可能な場所での作業を前提としており、例えば、山間部等の駐車が困難な場所や駐車スペースが確保できない場所等では作業ができないという問題がある。
また、例えば、ホットスティックを保持して作業を可能とする上記保持装置は、複雑な構造を有する場合が多く、コストがかかるという問題があった。
【０００９】
本発明は、上記に鑑みてなされたものであって、間接活線工具を用いて間接活線作業を行う際の作業者の負担を容易に軽減可能な間接活線工具支持具を提供することを目的とする。
【課題を解決するための手段】
【００１０】
上記目的を達成するため、本発明は、以下のような間接活線工具支持具を提供する。
【００１１】
（１）  電柱に架設された電線に対して間接活線作業を行う際に使用され、当該間接活線作業に応じた先端工具を取り付け可能な絶縁操作棒を有する間接活線工具を支持する間接活線工具支持具であって、作業者の身体の一部に装着される身体装着部と、前記絶縁操作棒の軸方向中間部の近傍に装着される棒装着部と、前記身体装着部と前記棒装着部とを連結する連結部と、上方に開口する凹部を有して前記身体装着部に設けられ、前記絶縁操作棒の基端部を収容して支持する棒支持部と、を備えることを特徴とする。
【００１２】
（２）  電柱に架設された電線に対して間接活線作業を行う際に使用され、当該間接活線作業に応じた先端工具を取り付け可能な絶縁操作棒を有する間接活線工具を支持する間接活線工具支持具であって、作業者の身体の一部に装着される身体装着部と、前記身体装着部における前記作業者の腹部に対応する位置から前方に突設された支持アーム部と、上方に開口する凹部を有して前記支持アーム部の先端に設けられ、前記絶縁操作棒の基端部を収容して支持する棒支持部と、を備えることを特徴とする。
【００１３】
（３）  電柱に架設された電線に対して間接活線作業を行う際に使用され、当該間接活線作業に応じた先端工具を取り付け可能な絶縁操作棒を有する間接活線工具を支持する間接活線工具支持具であって、作業者の身体の一部に装着される身体装着部と、上方に開口する凹部を有して前記身体装着部に設けられ、前記絶縁操作棒の基端部を収容して支持する棒支持部と、前記基端部として前記絶縁操作棒の本体部に対して屈曲自在に延設され緩衝部材からなる当接圧力緩和部と、を備えることを特徴とする。
【００１４】
（４）  電柱に架設された電線に対して間接活線作業を行う際に使用され、当該間接活線作業に応じた先端工具を取り付け可能な絶縁操作棒を有する間接活線工具を支持する間接活線工具支持具であって、弾性部材からなり作業者の腹部又はその近傍に当接可能に板状に形成された身体当接部と、前記身体当接部に設けられ、前記絶縁操作棒の基端部に接続される接続部と、を備えることを特徴とする。
【００１５】
（５）  電柱に架設された電線に対して間接活線作業を行う際に使用され、当該間接活線作業に応じた先端工具を取り付け可能な絶縁操作棒を有する間接活線工具を支持する間接活線工具支持具であって、作業者の肩部から腰部にかけて襷掛けされる身体装着部と、上方に開口する凹部を有して前記作業者の体側部に対応する前記身体装着部に設けられ、前記絶縁操作棒の基端部を収容して支持する棒支持部と、を備えることを特徴とする。
【発明の効果】
【００１６】
本発明によれば、間接活線工具を用いて間接活線作業を行う際の作業車の負担を軽減可能な間接活線工具支持具を提供することができる。
【図面の簡単な説明】
【００１７】
【図１】間接活線工具の例を示す図であり、（ａ）は２軸回転操作棒を示す図、（ｂ）はストレーリンクトングを示す図、（ｃ）は絶縁ヤットコを示す図、（ｄ）は共用操作棒を示す図である。
【図２】ホットスティックを示す斜視図である。
【図３】第１実施形態に係るホットスティック支持具を示す斜視図である。
【図４】（ａ）は、ホットスティック支持具の棒装着部を示す斜視図であり、（ｂ）は、（ａ）の断面図である。
【図５】第１実施形態に係るホットスティック支持具の使用状態を示す図である。
【図６】第２実施形態に係るホットスティック支持具を示す斜視図である。
【図７】第２実施形態に係るホットスティック支持具の使用状態を示す図である。
【図８】第３実施形態に係るホットスティック支持具を示す斜視図である。
【図９】第３実施形態に係る当接圧力緩和部を示す断面図である。
【図１０】第３実施形態に係るホットスティック支持具の使用状態を示す図である。
【図１１】第４実施形態に係るホットスティック支持具を示す斜視図である。
【図１２】第４実施形態に係るホットスティック支持具を示す断面図である。
【図１３】第４実施形態に係るホットスティック支持具の使用状態を示す図である。
【図１４】第５実施形態に係るホットスティック支持具を示す斜視図である。
【図１５】第５実施形態に係るホットスティック支持具を示す要部断面図である。
【図１６】第５実施形態に係るホットスティック支持具の使用状態を示す図である。
【発明を実施するための形態】
【００１８】
以下に、本発明の実施形態を図面に基づいて詳細に説明する。なお、この実施形態により本発明が限定されるものではない。
【００１９】
〔第１実施形態〕
図１は、間接活線工具の例を示す図であり、（ａ）は２軸回転操作棒を示す図、（ｂ）はストレーリンクトングを示す図、（ｃ）は絶縁ヤットコを示す図、（ｄ）は共用操作棒を示す図である。
【００２０】
＜間接活線工具の説明＞
間接活線工具としては、ホットスティックの他、例えば、図１（ａ）〜（ｄ）に示す２軸回転操作棒、ストレーリンクトング、絶縁ヤットコ、共用操作棒等があるが、以下の説明においては、作業内容により交換が可能な先端工具を有するホットスティック（間接活線工具）に取り付け可能なホットスティック支持具（間接活線工具支持具）を例に挙げて説明する。
【００２１】
最初に、本実施形態に係るホットスティック支持具が取り付けられるホットスティックについて図２を参照して説明する。図２は、ホットスティックを示す斜視図である。
図２に示すように、ホットスティック２０は、先端工具２０ａと、丸棒状の絶縁操作棒２１と、を備える。
【００２２】
先端工具２０ａは、絶縁操作棒２１の先端に着脱可能に取り付けられている。また、先端工具２０ａは、絶縁操作棒２１の先端に取り付けられることにより、絶縁操作棒２１に設けられる後述の駆動ユニット２２に接続されるように構成されている。
【００２３】
絶縁操作棒２１は、駆動ユニット２２と、駆動ユニット２２を操作可能な操作部２３と、を有して構成されている。
駆動ユニット２２は、絶縁操作棒２１の先端に取り付けられた先端工具２０ａを駆動可能に構成されている。具体的には、駆動ユニット２２は、本体部（図示せず）と、駆動部（図示せず）と、を有して構成されている。
【００２４】
本体部は、絶縁操作棒２１の基端部２１ａ側に配設されており、操作部２３と接続されている。また、本体部は、操作部２３により操作された操作内容を駆動部に伝達させる。
【００２５】
駆動部は、絶縁操作棒２１の内部に配設されており、本体部と先端工具２０ａとを接続させている。また、駆動部は、本体部により伝達された操作内容を先端工具２０ａに伝達し、先端工具２０ａを駆動させる。
【００２６】
操作部２３は、絶縁操作棒２１の基端部２１ａに設けられており、作業者により操作可能に構成されている。また、操作部２３は、駆動ユニット２２の本体部に接続されており、駆動ユニット２２を操作可能に構成されている。
【００２７】
つまり、作業者は、操作部２３を操作することにより、絶縁操作棒２１の先端に設けられ、駆動ユニット２２の駆動部に接続された先端工具２０ａを操作することができる。
【００２８】
＜ホットスティック支持具の説明＞
次に、第１実施形態に係るホットスティック支持具１０について図３及び図５を参照して説明する。
図３は、第１実施形態に係るホットスティック支持具を示す斜視図である。図５は、第１実施形態に係るホットスティック支持具の使用状態を示す図である。
【００２９】
図５に示すように、ホットスティック支持具１０は、作業者Ｗの胴体部に装着される身体装着部３０と、絶縁操作棒２１の軸方向中間部の近傍に装着される棒装着部５０と、身体装着部３０と棒装着部５０とを連結する連結部４０と、身体装着部３０に設けられ、絶縁操作棒２１の基端部２１ａを収容して支持するポケット部（棒支持部）３３と、を備える。
【００３０】
＜身体装着部の説明＞
身体装着部３０は、図３に示すように、作業者Ｗ（図５参照）の胴体部に装着されるベスト３１として構成されている。
ベスト３１は、布、革或いは化学繊維等からなり、頭部及び腕部を通す開口部がそれぞれ設けられ、公知の形状を有している。ベスト３１は、一対の肩掛け部３１ａ，３１ａと、連結リング３２と、を有している。また、ベスト３１の腹部付近の外面には、後述するポケット部３３が設けられている。
【００３１】
一対の肩掛け部３１ａ，３１ａは、作業者Ｗ（図５参照）の肩部に掛けるために、帯状に形成されている。
連結リング３２は、ベスト３１の胸部付近の外面から倒立自在に突設され、後述する連結部４０のフック部４７が連結される。
【００３２】
＜ポケット部の説明＞
ポケット部３３は、図５に示すように、絶縁操作棒２１の基端部２１ａを収容して支持する。すなわち、ポケット部６６は、図３及び図５に示すように、上方に開口部６６ａを有する袋状に形成され、ベスト３１の腹部付近の外面に固定されている。
なお、ポケット部３３は、ベスト３１と同様の素材からなるが、異なる素材（例えば、合成樹脂等）から形成されてもよい。
【００３３】
＜連結部の説明＞
連結部４０は、図３に示すように、帯状に形成されている。連結部４０は、身体装着部３０と棒装着部５０とを連結する。また、連結部４０は、伸縮部４０ａと、調整部４１と、を備える。
【００３４】
伸縮部４０ａは、絶縁性を有する弾性材料（例えば、弾性ゴム等）により帯状に形成されており、所定の応力が加わると延伸するように形成されている。また、伸縮部４０ａの一方側の端部には、フック部４２が設けられている。
【００３５】
フック部４２は、棒装着部５０と連結可能に形成されており、連結部４０と棒装着部５０とを連結する。なお、フック部４２は、棒装着部５０との連結状態を維持するロック機能を備えている。一方、伸縮部４０ａの他方側は、調整部４１と連続している。
【００３６】
調整部４１は、絶縁性部材により帯状に形成されており、連結部４０の長さを調節可能に形成されている。具体的には、調整部４１には、調整バックル４３が取り付けられている。調整部４１は、調整バックル４３を調整することにより、連結部４０の長さを調節可能に構成されている。
【００３７】
バックル４６の一方側の端部には、フック部４７が設けられている。フック部４７は、身体装着部３０の連結リング３２と連結可能に形成されており、連結部４０と身体装着部３０とを連結する。なお、フック部４７は、連結リング３２との連結状態を維持するロック機能を備えている。
【００３８】
＜棒装着部の説明＞
図４（ａ）は、ホットスティック支持具の棒装着部を示す斜視図であり、（ｂ）は、（ａ）に示す棒装着部の断面図である。
図４（ａ）及び図４（ｂ）に示すように、棒装着部５０は、円筒部５０ａと、開口部５１と、を備える。また、棒装着部５０は、弾性材料（例えば、樹脂等）により形成されており、弾性変形可能に形成されている。
【００３９】
円筒部５０ａは、略円筒形状に形成されており、その内径が、絶縁操作棒２１の外形よりも大きくなるように形成されている。円筒部５０ａは、内径を絶縁操作棒２１の外形よりも大きくすることにより、円筒部５０ａの内部（中空部）に絶縁操作棒２１を挿入可能になるように構成されている。
【００４０】
また、円筒部５０ａの外周面には、外方に突出した係止部５３が形成されている。係止部５３には、フック部４２（図３参照）が係止可能な係止穴５３ａが形成されている。つまり、連結部４０と棒装着部５０とは、フック部４２を係止部５３に係止させることにより連結される。
【００４１】
更に、円筒部５０ａの外周面には、ねじ穴部５４が設けられている。ねじ穴部５４は、ねじ穴５５と、ねじ５６と、を有して構成されている。ねじ穴５５は、円筒部５０ａを貫通するように形成されており、ねじ５６が螺合可能なねじ溝（図示せず）が設けられている。
【００４２】
ねじ５６は、円筒部５０ａを貫通可能な長さに形成されており、ねじ穴５５に設けられたねじ溝に沿ってねじ穴５５に螺合可能に形成されている。
【００４３】
開口部５１は、円筒部５０ａの外周面を円筒部５０ａの長手方向（軸方向）に切り欠いたスリット状に形成されている。また、開口部５１には、外方に広がる一対のフランジ部５１ａ，５１ｂが設けられている。
【００４４】
一対のフランジ部５１ａ，５１ｂそれぞれは、開口部５１の端縁部から外方に向かって開口部５１の開口幅よりも広がるように突出した状態に形成されている。また、一対のフランジ部５１ａ，５１ｂそれぞれは、絶縁操作棒２１と当接可能に形成されている。
【００４５】
開口部５１は、絶縁操作棒２１を一対のフランジ部５１ａ，５１ｂに当接させた後、更に円筒部５０ａの内部方向に絶縁操作棒２１を押し込むことにより、開口部５１が弾性変形して幅方向に広がり、絶縁操作棒２１が円筒部５０ａの内部に挿入されるように構成されている。
【００４６】
＜ホットスティック支持具の使用方法の説明＞
次に、本実施形態に係るホットスティック支持具１０の使用方法について図５を参照して説明する。
【００４７】
図５に示すように、ホットスティック支持具１０は、例えば、高所作業車（図示せず）のバケット１００上で、電柱（図示せず）に架設された電線２に対して間接活線作業を行う作業者Ｗが使用するホットスティック２０に装着して使用される。
【００４８】
先ず、作業者Ｗは、身体装着部３０を着用する。
次に、作業者Ｗは、ホットスティック２０の絶縁操作棒２１に棒装着部５０を装着する。具体的には、図４（ｂ）に示す矢印の方向に、絶縁操作棒２１を開口部５１から押し込む。
開口部５１は、絶縁操作棒２１の外径よりも小さいが、棒装着部５０が弾性材料により弾性変形可能に形成されているので、開口部５１に絶縁操作棒２１を押し込もうとすると、開口部５１が広がり、容易に絶縁操作棒２１を円筒部５０ａの内部に挿入することができる。
【００４９】
絶縁操作棒２１を円筒部５０ａに挿入した後、ねじ穴部５４のねじ５６を締める方向に回動すると、ねじ５６が円筒部５０ａの内部（中空部）側に前進し、絶縁操作棒２１を押圧する。これにより、絶縁操作棒２１が円筒部５０ａの内部で締め付けられて、棒装着部５０が絶縁操作棒２１に固定される。
【００５０】
次に、作業者Ｗは、連結部４０の調整部４１（図３参照）を調整し、連結部４０の長さを調節する。連結部４０の長さは、作業者Ｗと工事対象物との距離、又は先端工具２０ａと工事対象物との距離等により調節される。
【００５１】
続いて、作業者Ｗは、連結部４０のフック部４７を、身体装着部３０の連結リング３２に連結させる（図３参照）。これにより、ホットスティック２０は、図５に示すように、ホットスティック支持具１０の身体装着部３０に連結される。
【００５２】
また、作業者Ｗは、図５に示すように、絶縁操作棒２１の基端部２１ａをポケット部３３に挿入する。これにより、ホットスティック２０の荷重をポケット部３３で支持することができる。
【００５３】
そして、作業者Ｗは、図５に示すように、ホットスティック支持具１０によって支持されたホットスティック２０を把持して、所定の間接活線作業に取りかかる。
【００５４】
＜ホットスティック支持具が奏する効果の説明＞
上述した構成を有する第１実施形態に係るホットスティック支持具１０によれば、以下に示す効果が奏される。
【００５５】
ホットスティック支持具１０は、身体装着部３０と、棒装着部５０と、連結部４０と、ポケット部３３と、を備える。
【００５６】
このため、ホットスティック支持具１０は、身体装着部３０のポケット部３３によって絶縁操作棒２１の基端部２１ａを支持すると共に、身体装着部３０の連結リング３２に連結された連結部４０によって絶縁操作棒２１の軸方向中間部を支持することにより、ホットスティック２０の荷重を分散して容易に支持することが可能になる。
したがって、作業者Ｗが手のみでホットスティック２０を支持する場合と異なり、作業負担及び疲労を軽減することができ、作業効率を向上することができる。
【００５７】
また、ホットスティック支持具１０は、構成要素も少なく、簡易な構成であるため、多大な費用をかけることなくホットスティック支持具１０を製造することができる。
【００５８】
また、ホットスティック支持具１０の連結部４０は、伸縮部４０ａと、調整部４１と、を備える。
このため、作業者Ｗは、身体装着部３０と棒装着部５０との距離を任意に調節することができ、作業し易い位置でホットスティック２０を支持することができる。したがって、作業負担及び疲労を軽減することができ、作業効率を向上することができる。
【００５９】
なお、本発明は、上記実施形態に何ら限定されることなく、本発明の技術的範囲はこれらに限定されるものではない。
【００６０】
例えば、上記第１実施形態においては、ホットスティック支持具１０の連結部４０は、帯状に形成されているものとして説明したが、これに限定されず、例えば、紐状に形成されていてもよい。
【００６１】
また、例えば、上記第１実施形態においては、棒装着部５０には、ねじ穴部５４を設け、このねじ穴部５４により、棒装着部５０を絶縁操作棒２１に装着するものとして説明したが、これに限定されない。
【００６２】
例えば、面ファスナーを絶縁操作棒２１に巻き付けて固定する構成であってもよい。棒装着部５０は、絶縁操作棒２１に装着可能な構成であればよい。
【００６３】
また、上記第１実施形態においては、棒支持部として、袋状に形成したポケット部３３を身体装着部３０に備えるものとして説明したが、絶縁操作棒２１の基端部２１ａを支持可能であれば、袋状に形成されていなくてもよい。
【００６４】
〔第２実施形態〕
図６は、第２実施形態に係るホットスティック支持具を示す斜視図である。図７は、第２実施形態に係るホットスティック支持具の使用状態を示す図である。
【００６５】
図６及び図７に示すように、第２実施形態に係るホットスティック支持具６０は、作業者Ｗの胴体部に装着される身体装着部３０と、身体装着部３０から前方に突設された支持アーム部６２と、支持アーム部６２の先端に設けられ、絶縁操作棒２１の基端部２１ａを収容して支持するポケット部（棒支持部）６３と、を備える。
【００６６】
身体装着部３０は、上記第１実施形態で示した身体装着部３０（図３参照）と略同様であるので、既に説明した部分と同一若しくは相当する部分には、同一の符号を付して重複説明を省略し、異なる点を説明する。
【００６７】
ベスト３１の前面であって作業者Ｗの腹部に対応する位置には、帯板状の補強プレート６１が内蔵されている。補強プレート６１は、金属又は合成樹脂等からなり、裏面（作業者Ｗの腹部に対向する面）には、適宜、緩衝部材が設けられていることが好ましい。
【００６８】
補強プレート６１の前面には、例えば、３本の支持アーム部６２が突設されている。
支持アーム部６２は、金属又は合成樹脂等からなる棒状部材である。支持アーム部６２の長さは、後述するポケット部６３に絶縁操作棒２１の基端部２１ａを収容して支持した際に、作業者Ｗが絶縁操作棒２１を無理なく把持できるように設定されている。
また、支持アーム部６２は、絶縁処理が施されていることが好ましい。
【００６９】
ポケット部６３は、支持アーム部６２の先端に設けられ、上方に開口部６３ａを有する有底円筒状に形成されている。ポケット部６３は、支持アーム部６２と同様の素材で形成されている。なお、開口部６３ａは、上方に向かって拡開していることが好ましい。
【００７０】
＜ホットスティック支持具の使用方法の説明＞
次に、本実施形態に係るホットスティック支持具６０の使用方法について図７を参照して説明する。
【００７１】
図７に示すように、ホットスティック支持具６０は、例えば、高所作業車（図示せず）のバケット１００上で、間接活線作業を行う作業者Ｗが使用するホットスティック２０の基端部２１ａを、ポケット部６３で支持して使用される。
【００７２】
すなわち、絶縁操作棒２１の基端部２１ａをポケット部６３に挿入することにより、ホットスティック２０の荷重をポケット部６３で支持することができる。ポケット部６３で受けた荷重は、支持アーム部６２を介してベスト３１に伝達されるので、ベスト３１全体で荷重を受けることができる。
【００７３】
そして、作業者Ｗは、ホットスティック支持具６０によって支持されたホットスティック２０を把持して、所定の間接活線作業に取りかかる。
【００７４】
＜ホットスティック支持具が奏する効果の説明＞
上述した構成を有する第２実施形態に係るホットスティック支持具６０によれば、以下に示す効果が奏される。
【００７５】
ホットスティック支持具６０は、ベスト３１と、ベスト３１前方に突設された支持アーム部６２と、支持アーム部６２の先端に設けられたポケット部６３と、を備える。
【００７６】
このため、ホットスティック支持具６０は、ベスト３１から突設された支持アーム部６２のポケット部６３によって絶縁操作棒２１の基端部２１ａを支持することにより、ホットスティック２０の荷重を、支持アーム部６２を介してベスト３１に分散して支持することが可能になる。
したがって、作業者Ｗが手のみでホットスティック２０を支持する場合と異なり、作業負担及び疲労を軽減することができ、作業効率を向上することができる。
【００７７】
また、ホットスティック支持具６０は、構成要素も少なく、簡易な構成であるため、多大な費用をかけることなくホットスティック支持具６０を製造することができる。
【００７８】
なお、本発明は、上記実施形態に何ら限定されることなく、本発明の技術的範囲はこれらに限定されるものではない。
【００７９】
例えば、上記第２実施形態においては、ホットスティック支持具６０の支持アーム部６２を３本設けるものとして説明したが、所定の強度（剛性）を確保できればこれに限定されず、２本以下であってもよい。
【００８０】
また、上記第２実施形態においては、棒支持部として、袋状に形成したポケット部３３を支持アーム部６２の先端に設けるものとして説明したが、絶縁操作棒２１の基端部２１ａを支持可能であれば、袋状に形成されていなくてもよい。
【００８１】
〔第３実施形態〕
図８は、第３実施形態に係るホットスティック支持具を示す斜視図である。図９は、第３実施形態に係る当接圧力緩和部を示す断面図である。図１０は、第３実施形態に係るホットスティック支持具の使用状態を示す図である。
【００８２】
図１０に示すように、第３実施形態に係るホットスティック支持具７０は、作業者Ｗの胴体部に装着される身体装着部３０と、身体装着部３０に設けられ、絶縁操作棒２１の基端部２１ａを収容して支持するポケット部（棒支持部）３３と、当接圧力緩和部７１と、を備える。
【００８３】
身体装着部３０及びポケット部３３は、上記第１実施形態で示したもの（図３参照）と略同様であるので、既に説明した部分と同一若しくは相当する部分には、同一の符号を付して重複説明を省略し、異なる点を説明する。
【００８４】
当接圧力緩和部７１は、図９（ａ）及び図９（ｂ）に示すように、基端部２１ａとして絶縁操作棒２１の本体部２１ｂに対して屈曲自在に延設されている。当接圧力緩和部７１は、弾性変形可能な緩衝部材（例えば、合成ゴム等）からなり、円柱状に形成されている。
【００８５】
当接圧力緩和部７１の上端部には、絶縁操作棒２１の基端部２１ａ（当接圧力緩和部７１への嵌入後には本体部２１ｂ）を嵌入可能な所定深さの凹部７１ａを有する。凹部７１ａは、当接圧力緩和部７１を軸方向で切断した断面が円形である。
【００８６】
当接圧力緩和部７１は、図９（ｂ）に示すように、絶縁操作棒２１の基端部２１ａ（当接圧力緩和部７１への嵌入後は本体部２１ｂとなる）が嵌入された後、絶縁操作棒２１の本体部２１ｂに対して屈曲可能（弾性変形可能）となるように構成されている。
【００８７】
＜ホットスティック支持具の使用方法の説明＞
次に、本実施形態に係るホットスティック支持具７０の使用方法について図１０を参照して説明する。
【００８８】
図１０に示すように、ホットスティック支持具７０は、例えば、高所作業車（図示せず）のバケット１００上で作業者Ｗが使用するホットスティック２０に使用される。
具体的には、ホットスティック支持具７０は、絶縁操作棒２１の基端部２１ａに装着した当接圧力緩和部７１を、絶縁操作棒２１の基端部２１ａとしてポケット部３３で支持して使用される。
作業者Ｗは、ホットスティック支持具７０によって支持されたホットスティック２０を把持して、所定の間接活線作業に取りかかる。
【００８９】
このように、絶縁操作棒２１の基端部２１ａをポケット部３３に挿入することにより、ホットスティック２０の荷重は、ポケット部３３で支持される。
ポケット部３３で受けた荷重は、ベスト３１に伝達されるので、ベスト３１（作業者Ｗの胴体部）全体で荷重を受けることができる。
【００９０】
また、絶縁操作棒２１の本体部２１ｂは、間接活線作業中に様々な向きに傾けられる。その際、絶縁操作棒２１の基端部２１ａに位置する当接圧力緩和部７１は、本体部２１ｂに対して屈曲するので、ポケット部３３の内部で大きく傾くことがない。
【００９１】
つまり、当接圧力緩和部７１は、本体部２１ｂの動作に追従して大きく傾くことがないので、ポケット部３３及びベスト３１を介して作業者Ｗの腹部を圧迫しにくい。
【００９２】
また、当接圧力緩和部７１は、弾性変形可能な緩衝部材からなるので、ポケット部３３及びベスト３１を介して作業者Ｗの腹部にかかる当接圧力を緩和する。
【００９３】
＜ホットスティック支持具が奏する効果の説明＞
上述した構成を有する第３実施形態に係るホットスティック支持具７０によれば、以下に示す効果が奏される。
【００９４】
ホットスティック支持具７０は、身体装着部３０と、ポケット部３３と、当接圧力緩和部７１と、を備える。
【００９５】
このため、ホットスティック支持具７０は、ベスト３１に設けられたポケット部３３によって絶縁操作棒２１の基端部２１ａを支持することにより、ホットスティック２０の荷重をベスト３１に分散して支持することが可能になる。
したがって、作業者Ｗが手のみでホットスティック２０を支持する場合と異なり、作業負担及び疲労を軽減することができ、作業効率を向上することができる。
【００９６】
また、絶縁操作棒２１の本体部２１ｂは間接活線作業中に様々な向きに傾くが、当接圧力緩和部７１は、本体部２１ｂの動作に追従して大きく傾くことがないので、ポケット部３３及びベスト３１を介して作業者Ｗの腹部を圧迫しにくく、圧迫による不快感を低減することができる。
【００９７】
また、当接圧力緩和部７１は、弾性変形可能な緩衝部材からなるので、ポケット部３３及びベスト３１を介して作業者Ｗの腹部にかかる当接圧力を緩和することができ、作業負担及び疲労を軽減することができる。したがって、作業効率を向上することができる。
【００９８】
また、ホットスティック支持具７０は、構成要素も少なく、簡易な構成であるため、多大な費用をかけることなくホットスティック支持具７０を製造することができる。
【００９９】
なお、本発明は、上記実施形態に何ら限定されることなく、本発明の技術的範囲はこれらに限定されるものではない。
【０１００】
例えば、上記第３実施形態においては、棒支持部として、袋状に形成したポケット部３３をベスト３１に設けるものとして説明したが、絶縁操作棒２１を支持可能であれば、袋状に形成されていなくてもよい。
【０１０１】
また、上記第３実施形態においては、当接圧力緩和部７１は、絶縁操作棒２１の本体部２１ｂを凹部７１ａに嵌入することにより当該本体部２１ｂに対して屈曲自在に構成するものとして説明したが、これに限定されず、例えば、蝶番等を介して絶縁操作棒２１の本体部２１ｂに接続し、屈曲自在に構成してもよい。この場合も上記第３実施形態の場合と同様の効果を期待できる。
【０１０２】
〔第４実施形態〕
図１１は、第４実施形態に係るホットスティック支持具を示す斜視図である。図１２は、第４実施形態に係るホットスティック支持具を示す断面図である。図１３は、第４実施形態に係るホットスティック支持具の使用状態を示す図である。
【０１０３】
図１１〜図１３に示すように、第４実施形態に係るホットスティック支持具８０は、身体当接部８１と、接続部８２と、を備える。
【０１０４】
身体当接部８１は、図１３に示すように、作業者Ｗの腹部又はその近傍に当接可能に形成されている。具体的には、身体当接部８１は、図１１及び図１２に示すように、ゴム等の弾性部材からなり、円盤状に形成されている。なお、身体当接部８１は、当該円盤の内部を所定量窪ませて弾性変形し易いように形成されていることが好ましい。
【０１０５】
接続部８２は、身体当接部８１の上面の中心に円筒状に突設されている。接続部８２は、絶縁操作棒２１の基端部２１ａを嵌入する嵌入穴８２ａを有する。
【０１０６】
＜ホットスティック支持具の使用方法の説明＞
次に、本実施形態に係るホットスティック支持具８０の使用方法について図１３を参照して説明する。
【０１０７】
図１３に示すように、ホットスティック支持具８０は、例えば、高所作業車（図示せず）のバケット１００上で作業者Ｗが使用するホットスティック２０に使用される。
具体的には、ホットスティック支持具８０の使用に先立って、絶縁操作棒２１の基端部２１ａを、ホットスティック支持具８０の接続部８２の嵌入穴８２ａに嵌入することにより、ホットスティック支持具８０をホットスティック２０に一体化しておく（図１２参照）。
【０１０８】
そして、作業者Ｗは、ホットスティック２０を把持し、ホットスティック支持具８０の身体当接部８１を腹部に当接させて所定の間接活線作業に取りかかる。
【０１０９】
このように、ホットスティック支持具８０の身体当接部８１を作業者Ｗの腹部に当接することにより、当該腹部を介して作業者Ｗの胴体部全体でホットスティック２０の荷重を受けることができる。
【０１１０】
また、絶縁操作棒２１は、間接活線作業中に様々な向きに傾けられる。その際、絶縁操作棒２１の基端部２１ａが嵌入された接続部８２は、適宜、弾性変形し、身体当接部８１に対して屈曲する。このため、絶縁操作棒２１が作業中に傾いても、基端部２１ａが作業者Ｗの腹部を圧迫しにくい。
【０１１１】
また、身体当接部８１は、弾性変形可能な緩衝部材からなるので、作業者Ｗの腹部にかかる当接圧力を緩和する。
【０１１２】
＜ホットスティック支持具が奏する効果の説明＞
上述した構成を有する第４実施形態に係るホットスティック支持具８０によれば、以下に示す効果が奏される。
【０１１３】
ホットスティック支持具８０は、身体当接部８１と、接続部８２と、を備える。
このため、ホットスティック支持具８０の身体当接部８１を作業者Ｗの腹部に当接することにより、当該腹部を介して作業者Ｗの胴体部全体でホットスティック２０の荷重を受けることができる。
したがって、作業者Ｗが手のみでホットスティック２０を支持する場合と異なり、作業負担及び疲労を軽減することができ、作業効率を向上することができる。
【０１１４】
また、絶縁操作棒２１は間接活線作業中に様々な向きに傾くが、接続部８２が適宜、弾性変形し、身体当接部８１に対して屈曲するので、基端部２１ａが作業者Ｗの腹部を圧迫しにくく、圧迫による不快感を低減することができる。
【０１１５】
また、身体当接部８１は弾性部材からなるので、作業者Ｗの腹部にかかる当接圧力を緩和することができ、作業負担及び疲労を軽減することができる。したがって、作業効率を向上することができる。
【０１１６】
また、ホットスティック支持具８０は、簡易な構成であるため、多大な費用をかけることなくホットスティック支持具８０を製造することができる。
【０１１７】
〔第５実施形態〕
図１４は、第５実施形態に係るホットスティック支持具を示す斜視図である。図１５は、第５実施形態に係るホットスティック支持具を示す要部断面図である。図１６は、第５実施形態に係るホットスティック支持具の使用状態を示す図である。
【０１１８】
図１４〜図１６に示すように、第５実施形態に係るホットスティック支持具９０は、襷帯部（身体装着部）９１と、作業者Ｗの体側部に対応する襷帯部９１に設けられ、絶縁操作棒２１の基端部２１ａを収容して支持するポケット部（棒支持部）９３と、を備える。
【０１１９】
＜襷帯部の説明＞
襷帯部９１は、図１６に示すように、作業者Ｗの肩部から腰部にかけて襷掛けされるものである。具体的には、襷帯部９１は、図１４に示すように、布、革或いは化学繊維等からなり、矩形の帯状に形成されている。
【０１２０】
襷帯部９１は、一端及び他端を着脱自在に接続することによって円環状に形成される。すなわち、襷帯部９１は、一端の表面に面ファスナー部９１ａ（図１４参照）が設けられ、他端の裏面に面ファスナー部９１ａと係合可能な面ファスナー部９１ｂ（図１５参照）が設けられている。
【０１２１】
また、襷帯部９１の他端の表面には、後述するポケット部９３を着脱するための面ファスナー部９１ｃが設けられている。
【０１２２】
なお、上記面ファスナー部９１ａ，９１ｂ，９１ｃ，９４は、ポケット部９３で絶縁操作棒２１を支持したときに、係合状態を維持できるように形成されている。
【０１２３】
＜ポケット部の説明＞
ポケット部９３は、図１６に示すように、絶縁操作棒２１の基端部２１ａを収容して支持する。ポケット部６６は、図１４及び図１５に示すように、上方に開口部９３ａを有する袋状に形成され、襷帯部９１の作業者Ｗの体側部に対応する箇所の外表面に着脱自在に固定されている。
【０１２４】
すなわち、ポケット部９３は、図１５に示すように、裏面に面ファスナー部９４を有している。このポケット部９３の面ファスナー部９４は、襷帯部９１の面ファスナー部９１ｃ（図１４参照）と係合する。
つまり、ポケット部９３は、図１４中に想像線で示すように、襷帯部９１に対する固定位置が可変となっている。
なお、ポケット部９３は、硬質の合成樹脂や、襷帯部９１と同様の素材で形成することができる。
【０１２５】
＜ホットスティック支持具の使用方法の説明＞
次に、本実施形態に係るホットスティック支持具９０の使用方法について図１６を参照して説明する。
【０１２６】
図１６に示すように、ホットスティック支持具９０は、例えば、高所作業車（図示せず）のバケット１００上で作業者Ｗが使用するホットスティック２０に使用される。
具体的には、ホットスティック支持具９０の使用に先立って、ポケット部９３を襷帯部９１の所定位置に固定しておく。そして、襷帯部９１を方部から腰部にかけて襷掛けする。
【０１２７】
次に、作業者Ｗは、絶縁操作棒２１の基端部２１ａを、ホットスティック支持具９０のポケット部９３に挿入することにより、ホットスティック２０を体側部で支持する。
なお、体側部には骨盤があるため、ホットスティック２０は安定して支持される。
そして、作業者Ｗは、ホットスティック２０を把持し、所定の間接活線作業に取りかかる。
【０１２８】
＜ホットスティック支持具が奏する効果の説明＞
上述した構成を有する第５実施形態に係るホットスティック支持具９０によれば、以下に示す効果が奏される。
【０１２９】
ホットスティック支持具９０は、襷帯部９１と、ポケット部９３と、を備える。
このため、ホットスティック支持具９０を用いることにより、作業者Ｗの腰部（体側部）全体でホットスティック２０の荷重を受けることができる。
したがって、作業者Ｗが手のみでホットスティック２０を支持する場合と異なり、作業負担及び疲労を軽減することができ、作業効率を向上することができる。
【０１３０】
また、ポケット部９３は、襷帯部９１に対する固定位置が可変となっているので、ポケット部９３の固定位置を適宜変更することにより、ホットスティック２０を作業し易い位置で支持することができる。
【０１３１】
更に、ポケット部９３は、面ファスナー部９４，９１ｃによって襷帯部９１に容易に着脱することができる。
【０１３２】
また、ホットスティック支持具９０は、簡易な構成であるため、多大な費用をかけることなくホットスティック支持具９０を製造することができる。
【０１３３】
なお、本発明は、上記実施形態に何ら限定されることなく、本発明の技術的範囲はこれらに限定されるものではない。
【０１３４】
例えば、上記第５実施形態においては、棒支持部として、袋状に形成したポケット部９３を襷帯部９１に設けるものとして説明したが、絶縁操作棒２１を支持可能であれば、袋状に形成されていなくてもよい。
【符号の説明】
【０１３５】
２  電線
１０  ホットスティック支持具（間接活線工具支持具）
２０  ホットスティック（間接活線工具）
２０ａ  先端工具
２１  絶縁操作棒
２１ａ  基端部
２１ｂ  本体部
３０  身体装着部
３３  ポケット部（棒支持部）
４０  連結部
５０  棒装着部
６０  ホットスティック支持具（間接活線工具支持具）
６２  支持アーム部
６３  ポケット部（棒支持部）
７０  ホットスティック支持具（間接活線工具支持具）
７１  当接圧力緩和部
８０  ホットスティック支持具（間接活線工具支持具）
８１  身体当接部
８２  接続部
９０  ホットスティック支持具（間接活線工具支持具）
９１  襷帯部（身体装着部）
９３  ポケット部（棒支持部）
Ｗ  作業者
【図１】
2010246226.tif 000003
【図２】
2010246226.tif 000004
【図３】
2010246226.tif 000005
【図４】
2010246226.tif 000006
【図５】
2010246226.tif 000007
【図６】
2010246226.tif 000008
【図７】
2010246226.tif 000009
【図８】
2010246226.tif 000010
【図９】
2010246226.tif 000011
【図１０】
2010246226.tif 000012
【図１１】
2010246226.tif 000013
【図１２】
2010246226.tif 000014
【図１３】
2010246226.tif 000015
【図１４】
2010246226.tif 000016
【図１５】
2010246226.tif 000017
【図１６】
2010246226.tif 000018